(57)【要約】入力装置１００は、２次元面内に設定される複数の区域１９０に対応して移動可能に支持された操作部材１１０と、操作部材１１０の位置する区域１９０を検出する区域検出部１６２と、操作部材１１０の決定動作を検出する決定動作検出部１６５と、区域検出部１６２により検出された区域１９０と決定動作検出部１６５により検出された決定動作とに基づいて、操作部材１１０の位置する区域１９０に対応した処理を実行する実行部１６６とを備え、決定動作が、２次元面に平行な方向である決定方向（ｙ１方向）に向かう操作部材１１０の動きである。
2019017306.tif 000002
【特許請求の範囲】
【請求項１】
２次元面内に設定される複数の区域に対応して移動可能に支持された操作部材と、
前記操作部材の位置する前記区域を検出する区域検出部と、
前記操作部材の決定動作を検出する決定動作検出部と、
前記区域検出部により検出された前記区域と前記決定動作検出部により検出された前記決定動作とに基づいて、前記操作部材の位置する前記区域に対応した処理を実行する実行部と、
を備え、
前記決定動作が、前記２次元面に平行な方向である決定方向に向かう前記操作部材の動きである、
入力装置。
【請求項２】
前記複数の区域が、前記決定動作の区域として割り当てられた複数の決定対象区域を含み、
すべての前記決定対象区域における前記決定方向が同じである、
請求項１に記載の入力装置。
【請求項３】
前記操作部材に力を付与する力付与部をさらに備え、
前記力付与部は、前記操作部材の移動方向が前記区域から出る方向であるときに、前記操作部材に対して前記移動方向とは逆方向の抵抗力を付与する、
請求項１または請求項２に記載の入力装置。
【請求項４】
前記決定方向に動くときに前記操作部材に印加される前記抵抗力の大きさは、前記区域間を移動するときに前記操作部材に印加される前記抵抗力の大きさと異なる、
請求項３に記載の入力装置。
【請求項５】
前記複数の区域が、前記決定動作の区域として割り当てられた複数の決定対象区域を含み、
前記決定対象区域から前記決定方向に動くときに前記操作部材に印加される前記抵抗力は、前記区域間を移動するときに前記操作部材に印加される前記抵抗力より大きい、
請求項３または請求項４に記載の入力装置。
【請求項６】
前記複数の区域が、制限区域を含み、
前記力付与部は、前記制限区域に隣接した前記区域から前記制限区域に向けて前記操作部材が移動するときに、前記制限区域に隣接した前記区域から前記操作部材が出るのを阻止する前記抵抗力を前記操作部材に印加する、
請求項３乃至請求項５の何れか一項に記載の入力装置。
【請求項７】
前記操作部材の移動に応じて動く伝達部材をさらに備え、
前記力付与部が、抵抗力付与部を含み、
前記抵抗力付与部が、
前記伝達部材に接触した磁気粘性流体と、
前記磁気粘性流体に磁界を印加する磁界印加部と、
を含み、
前記抵抗力付与部が、前記磁気粘性流体と前記伝達部材との間の前記抵抗力を変化させることにより、前記操作部材に付与する前記抵抗力を変化させる、
請求項３乃至請求項６のいずれか一項に記載の入力装置。
【請求項８】
複数のノード間の接続関係と、前記複数のノードの各々に対応付けられた情報と、を記憶した記憶装置と、
検出された前記操作部材の位置に応じて前記複数のノードの１つを選択ノードとして選択するノード選択部と、
を備え、
前記操作部材が、第１順方向と第１逆方向と第２順方向と第２逆方向とに移動可能に支持され、
前記第１順方向と前記第１逆方向とが、互いに逆を向き、
前記第２順方向と前記第２逆方向とが、互いに逆を向き、
前記第１順方向と前記第１逆方向との各々が、前記第２順方向と前記第２逆方向との両方に交差し、
前記複数のノードが、上位の前記ノードに接続された１つ以上の前記ノードを含み、
前記複数のノードが、下位の前記ノードに接続された１つ以上の前記ノードと、下位の前記ノードのいずれにも接続されない１つ以上の前記ノードと、を含み、
前記ノード選択部は、前記操作部材の前記第１順方向への移動に応じて、移動前の前記選択ノードの下位に接続された１つの前記ノードを前記選択ノードとして選択し、
前記ノード選択部は、前記操作部材の前記第１逆方向への移動に応じて、移動前の前記選択ノードの上位に接続された１つの前記ノードを前記選択ノードとして選択し、
前記ノード選択部は、前記操作部材の前記第２順方向と前記第２逆方向とのいずれか一方への移動に応じて、上位の同じ前記ノードに接続された１つ以上の前記ノード間で前記選択ノードを切り替え、
前記第１順方向が、前記決定方向であり、
前記実行部が、前記選択ノードに対応付けられた前記情報に基づいて前記処理を実行する、
請求項１乃至請求項７のいずれか一項に記載の入力装置。
【請求項９】
視認可能な表示を制御する表示制御部をさらに備え、
前記表示制御部が、前記選択ノードの上位に接続された前記ノードの下位に接続されたすべての前記ノードと、前記選択ノードの下位に接続された前記ノードとを示す画像を生成し、
前記表示制御部が、前記画像において前記選択ノードを他の前記ノードから識別可能に表現する、
請求項８に記載の入力装置。
【請求項１０】
前記操作部材を回転可能に支持する駆動軸と、
前記駆動軸の回転状態を検出する回転検出部と、
をさらに備える、請求項１乃至請求項９のいずれか一項に記載の入力装置。
【請求項１１】
２次元面内に設定される複数の区域に対応して移動可能に支持された操作部材を備える入力装置により実行される入力装置制御方法であって、
前記操作部材の位置する前記区域を検出することと、
前記操作部材の決定動作を検出することと、
検出された前記区域と検出された前記決定動作とに基づいて、前記操作部材の位置する前記区域に対応した処理を実行することと、
を含み、
前記決定動作が、前記２次元面に平行な方向である決定方向に向かう前記操作部材の動きである、
入力装置制御方法。
【請求項１２】
コンピュータに請求項１１に記載の入力装置制御方法を実行させる制御プログラム。
【発明の詳細な説明】
【技術分野】
【０００１】
本発明は、入力装置、入力装置制御方法、および制御プログラムに関する。
【背景技術】
【０００２】
車両などに搭載されて、操作者が操作部材を動かすことにより入力を受ける入力装置がある。特許文献１には、ジョイスティック型の操作部材を備え、操作部材を２次元的に動かすことにより入力をする入力装置が開示される。特許文献１の入力装置では、操作部材を複数の領域のいずれかに移動させたとき、操作部材が位置する領域に対応した機能が実行される。
【先行技術文献】
【特許文献】
【０００３】
【特許文献１】特開２００９−５３８７４号
【発明の概要】
【発明が解決しようとする課題】
【０００４】
しかしながら、操作部材の移動に応じて、すぐに各機能が実行されると、操作者が意図せず操作部に触れたときに、意図しない動作が実行される。そこで、操作部材の移動により機能を選択する選択動作と、選択を決定する決定動作との２段階の動作を組み合わせて機能を実行することが検討された。一例において、決定動作は、スイッチを押す動作など、操作部材の移動とは異なる動作により行うことが考えられる。【０００５】
しかしながら、操作部材の移動とは異なる動作が追加されると、操作者に煩わしい操作を要求することとなる。【０００６】
本発明は、意図しない操作を簡単に防ぐことができる入力装置、入力装置制御方法、および制御プログラムを提供することを一つの目的とする。
【課題を解決するための手段】
【０００７】
本開示は、２次元面内に設定される複数の区域に対応して移動可能に支持された操作部材と、操作部材の位置する区域を検出する区域検出部と、操作部材の決定動作を検出する決定動作検出部と、区域検出部により検出された区域と決定動作検出部により検出された決定動作とに基づいて、操作部材の位置する区域に対応した処理を実行する実行部と、を備え、決定動作が、２次元面に平行な方向である決定方向に向かう操作部材の動きである、入力装置である。【０００８】
この構成によれば、区域への操作部材の移動とは別に決定動作が行われたときに、操作部材の位置する区域に対応した処理が実行されるので、決定動作を必要としない場合に比べると、意図せず処理が実行されることを防ぎやすい。２次元面内における操作により決定動作が行われるので、決定動作のために別のスイッチを用意する場合に比べて、構造および操作が簡単である。また、２次元面内に沿った移動以外の操作を必要とする場合に比べて構造および操作が簡単である。【０００９】
好適には本開示の入力装置において、複数の区域が、決定動作の区域として割り当てられた複数の決定対象区域を含み、すべての決定対象区域における決定方向が同じである。【００１０】
この構成によれば、すべての決定対象区域において決定方向が同じなので、決定方向が決定対象区域ごとに異なる場合に比べて、操作が単純であり、意図しない操作を簡単に防ぐことができる。【００１１】
好適には本開示の入力装置は、操作部材に力を付与する力付与部をさらに備え、力付与部は、操作部材の移動方向が区域から出る方向であるときに、操作部材に対して移動方向とは逆方向の抵抗力を付与する。【００１２】
この構成によれば、抵抗力が付与されない場合に比べて、操作部材を区域単位で明確に移動させることができ、意図しない操作を簡単に防ぐことができる。【００１３】
好適には本開示の入力装置において、決定方向に動くときに操作部材に印加される抵抗力の大きさは、区域間を移動するときに操作部材に印加される抵抗力の大きさと異なる。【００１４】
この構成によれば、決定動作と区域間の移動とで操作者が感じる抵抗力の大きさが異なるので、意図しない操作を防ぎやすい。【００１５】
好適には本開示の入力装置において、決定対象区域から決定方向に動くときに操作部材に印加される抵抗力は、区域間を移動するときに操作部材に印加される抵抗力より大きい。【００１６】
この構成によれば、区域間の移動時に操作者が感じる力よりも、決定動作時に操作者が感じる力の方が大きいので、区域間の移動と間違えて決定動作が行われることを防ぐことができる。【００１７】
好適には本開示の入力装置において、複数の区域が、制限区域を含み、力付与部は、制限区域に隣接した区域から制限区域に向けて操作部材が移動するときに、制限区域に隣接した区域から操作部材が出るのを阻止する抵抗力を操作部材に印加する。【００１８】
この構成によれば、規制方向に向けて操作部材が区域から出ることを抵抗力により阻止するので、操作者が操作部材を区域に沿って正確に移動させることができる。【００１９】
好適には本開示の入力装置は、操作部材の移動に応じて動く伝達部材をさらに備え、力付与部が、抵抗力付与部を含み、抵抗力付与部が、伝達部材に接触した磁気粘性流体と、磁気粘性流体に磁界を印加する磁界印加部と、を含み、抵抗力付与部が、磁気粘性流体と伝達部材との間の抵抗力を変化させることにより、操作部材に付与する抵抗力を変化させる。【００２０】
この構成によれば、電気的に抵抗力を精密に変化させることができるので、意図しない操作を防ぐための抵抗力をより正確に付与することができる。特に、電動モーターの回転だけで抵抗力を付与する場合に比べて、明確な抵抗力を付与することができる。そのため、操作者に区域の区切りを明確に感じさせることができる。【００２１】
好適には本開示の入力装置は、複数のノード間の接続関係と、複数のノードの各々に対応付けられた情報とを記憶した記憶装置と、検出された操作部材の位置に応じて複数のノードの１つを選択ノードとして選択するノード選択部とを備え、操作部材が、第１順方向と第１逆方向と第２順方向と第２逆方向とに移動可能に支持され、第１順方向と第１逆方向とが、互いに逆を向き、第２順方向と第２逆方向とが、互いに逆を向き、第１順方向と第１逆方向との各々が、第２順方向と第２逆方向との両方に交差し、複数のノードが、上位のノードに接続された１つ以上のノードを含み、複数のノードが、下位のノードに接続された１つ以上のノードと、下位のノードのいずれにも接続されない１つ以上のノードと、を含み、ノード選択部は、操作部材の第１順方向への移動に応じて、移動前の選択ノードの下位に接続された１つのノードを選択ノードとして選択し、ノード選択部は、操作部材の第１逆方向への移動に応じて、移動前の選択ノードの上位に接続された１つのノードを選択ノードとして選択し、ノード選択部は、操作部材の第２順方向と第２逆方向とのいずれか一方への移動に応じて、上位の同じノードに接続された１つ以上のノード間で選択ノードを切り替え、第１順方向が、決定方向であり、実行部が、選択ノードに対応付けられた情報に基づいて処理を実行する。【００２２】
この構成によれば、上位から下位へのノードの移動方向が決定方向と同じであるので、操作者が直感的に操作することができる。そのため、意図しない操作を簡単に防ぐことができる。【００２３】
好適には本開示の入力装置は、視認可能な表示を制御する表示制御部をさらに備え、表示制御部が、選択ノードの上位に接続されたノードの下位に接続されたすべてのノードと、選択ノードの下位に接続されたノードとを示す画像を生成し、表示制御部が、画像において選択ノードを他のノードから識別可能に表現する。【００２４】
この構成によれば、操作者が、選択ノードに近接したノードを示した画像を確認しながら選択ノードを選択できるので、操作者の意図しない操作を簡単に防ぐことができる。【００２５】
好適には本発明の入力装置は、操作部材を回転可能に支持する駆動軸と、駆動軸の回転状態を検出する回転検出部と、をさらに備える。【００２６】
この構成によれば、２次元面内における操作部材の移動に加えて、操作部材の回転によっても入力が可能であるので、素早く多様な入力が可能である。【００２７】
本開示は、２次元面内に設定される複数の区域に対応して移動可能に支持された操作部材を備える入力装置により実行される入力装置制御方法であって、操作部材の位置する区域を検出することと、操作部材の決定動作を検出することと、検出された区域と検出された決定動作とに基づいて、操作部材の位置する区域に対応した処理を実行することと、を含み、決定動作が２次元面に平行な方向である決定方向に向かう操作部材の動きである入力装置制御方法である。【００２８】
本開示は、コンピュータに上記の入力装置制御方法を実行させる制御プログラムである。
【発明の効果】
【００２９】
本発明によれば、意図しない操作を簡単に防ぐことができる。
【図面の簡単な説明】
【００３０】
【図１】本実施形態の入力装置の概略斜視図である。
【図２】図１に示す駆動装置の概略構成図である。
【図３】図１に示す３つの駆動装置と制御装置との構成を示すブロック図である。
【図４】記憶装置に記憶されたノードの例示的な接続関係を示す図である。
【図５】一例における複数の区域を模式的に表す図である。
【図６】図５に示す位置に操作部材があるときに表示される画像の一例である。
【図７】図５に示す操作部材が座標（２、１）に移動した後の、操作部材の移動可能な区域と移動不能な区域とを示す図である。
【図８】選択ノードが第３ノードであるときに表示される画像である。
【図９】図７に示す操作部材が座標（２、２）に移動した後の、操作部材の移動可能な区域と移動不能な区域とを示す図である。
【図１０】選択ノードが第８ノードであるときに表示される画像である。
【図１１】図９に示す操作部材が座標（３、２）に移動した後の、操作部材の移動可能な区域と移動不能な区域とを示す図である。
【図１２】選択ノードが第９ノードであるときに表示される画像である。
【図１３】図１１に示す操作部材が座標（３、３）に移動した後の、操作部材の移動可能な区域と移動不能な区域とを示す図である。
【図１４】選択ノードが第１７ノードであるときに表示される画像である。
【図１５】図１に示す入力装置が実行する入力装置制御方法を説明するためのフロー図である。
【発明を実施するための形態】
【００３１】
（全体構成）
以下、本発明の実施形態に係る入力装置について説明する。図１は、本実施形態の入力装置１００の概略斜視図である。入力装置１００は、一例において、図示しない車両の運転席付近に位置する。入力装置１００は、例えば、運転手といった操作者の手により操作される。操作者は、後述の操作部材１１０を手でつかみ、２次元面内で操作部材１１０を移動させ、後述の決定動作を行うことにより処理を命じる。処理は、例えば、車両の空調の選択、空調の設定温度の変更、音楽の再生であるが、これらに限定されない。
【００３２】
本明細書において、互いに直交するｘ方向、ｙ方向、及びｚ方向を規定する。ｘ方向は、互いに逆を向くｘ１方向とｘ２方向とを区別せずに表す。ｙ方向は互いに逆を向くｙ１方向とｙ２方向とを区別せずに表す。ｚ方向は互いに逆を向くｚ１方向とｚ２方向とを区別せずに表す。これらの方向は、相対的な位置関係を説明するために便宜上規定するのであって、実際の使用時の方向を限定するわけではない。構成要素の形状は、「略」という記載があるかないかにかかわらず、本明細書で開示された実施形態の技術思想が実現される限り、記載された表現に基づく厳密な幾何学的な形状に限定されない。
【００３３】
図１に示すように、入力装置１００は、２次元面内に設定される複数の区域１９０（図４）に対応して移動可能に支持された操作部材１１０と、第１駆動装置１１１−１と第２駆動装置１１１−２と第３駆動装置１１１−３と（以下、区別せずに駆動装置１１１と呼ぶ場合がある）、第１駆動軸１１２−１と第２駆動軸１１２−２と第３駆動軸１１２−３と（以下、区別せずに駆動軸１１２と呼ぶ場合がある）、第１ギア１１３−１と第２ギア１１３−２と（以下、区別せずにギア１１３と呼ぶ場合がある）、第１中継部材１１４−１と第２中継部材１１４−２と（以下、区別せずに中継部材１１４と呼ぶ場合がある）、制御装置１１５とを含む。
【００３４】
操作部材１１０は、ｚ方向に延びた中心軸をもつ円柱であり、ｘｙ平面に広がる扁平な円盤である。操作部材１１０は、図示される形状に限られず、例えば、球形でもよい。
【００３５】
第３駆動軸１１２−３は、ｚ方向に延びた略円柱体であり、ｚ方向に延びた中心軸の周りで回転する。第３駆動軸１１２−３のｚ２側端部は、操作部材１１０のｚ１側に固定される。操作部材１１０と第３駆動軸１１２−３とは、相互に固定されて一体的に動く。第３駆動装置１１１−３は、第３駆動軸１１２−３を回転させ、さらに、第３駆動軸１１２−３の回転を検出する。第３駆動装置１１１−３は、図示しない筐体により、ｘ方向とｙ方向とに平行移動可能に支持され、さらに、ｚ方向に移動しないように支持される。操作部材１１０と第３駆動装置１１１−３と第３駆動軸１１２−３とは、一体的に、ｘ方向とｙ方向とに平行移動する。他の例において、第３駆動装置１１１−３は、ｚ方向に移動可能に支持されて、入力装置１００が第３駆動装置１１１−３のｚ方向の移動を検出する検出装置を備えてもよい。
【００３６】
第１中継部材１１４−１は、ｘ方向に延びた２つの直線部とｙ方向に延びた２つの直線部とにより構成され、ｘｙ平面に平行に広がる略長方形の枠状部材である。第１中継部材１１４−１の内部に第３駆動装置１１１−３が配置される。第１中継部材１１４−１は、図示しない筐体により、ｘ方向に平行移動可能に支持され、さらに、ｚ方向とｙ方向とに移動しないように支持される。
【００３７】
第１中継部材１１４−１の内側におけるｘ方向の幅は、第３駆動装置１１１−３のｘ方向の幅と同程度であるので、第３駆動装置１１１−３と第１中継部材１１４−１とは、ｘ方向に一体的に動く。第１中継部材１１４−１の内側におけるｙ方向の幅は、第３駆動装置１１１−３のｙ方向の幅より大きいので、第３駆動装置１１１−３のｙ方向の動きは第１中継部材１１４−１に伝達されない。
【００３８】
第１駆動軸１１２−１は、ｙ方向に延びた略円柱体であり、ｙ方向に延びた中心軸の周りで回転する。第１駆動装置１１１−１は、第１駆動軸１１２−１を回転させ、さらに、第１駆動軸１１２−１の回転を検出する。第１駆動軸１１２−１のｙ２側端部は、第１ギア１１３−１のｙ１側に固定される。第１ギア１１３−１と第１駆動軸１１２−１とは、ｙ方向に延びた中心軸の周りで一体的に回転する。第１中継部材１１４−１のｚ２側の一部に形成されたギア溝が第１ギア１１３−１とかみ合う。第１中継部材１１４−１がｘ方向に動くと、第１ギア１１３−１が回転する。第１ギア１１３−１が回転すると、第１中継部材１１４−１がｘ方向に動く。
【００３９】
第２中継部材１１４−２は、ｘ方向に延びた２つの直線部とｙ方向に延びた２つの直線部とにより構成され、ｘｙ平面に平行に広がる略長方形の枠状部材である。第２中継部材１１４−２の内部に第３駆動装置１１１−３が配置される。第２中継部材１１４−２は、図示しない筐体により、ｙ方向に平行移動可能に支持され、さらに、ｚ方向とｘ方向とに移動しないように支持される。
【００４０】
第２中継部材１１４−２の内側におけるｙ方向の幅は、第３駆動装置１１１−３のｙ方向の幅と同程度であるので、第３駆動装置１１１−３と第２中継部材１１４−２とは、ｙ方向に一体的に動く。第２中継部材１１４−２の内側におけるｘ方向の幅は、第３駆動装置１１１−３のｘ方向の幅より大きいので、第３駆動装置１１１−３のｘ方向の動きは第２中継部材１１４−２に伝達されない。
【００４１】
第２駆動軸１１２−２は、ｘ方向に延びた略円柱体であり、ｘ方向に延びた中心軸の周りで回転する。第２駆動装置１１１−２は、第２駆動軸１１２−２を回転させ、さらに、第２駆動軸１１２−２の回転を検出する。第２駆動軸１１２−２のｘ２側端部は、第２ギア１１３−２のｘ１側に固定される。第２ギア１１３−２と第２駆動軸１１２−２とは、ｘ方向に延びた中心軸の周りで一体的に回転する。第２中継部材１１４−２のｚ２側の一部に形成されたギア溝が第２ギア１１３−２とかみ合う。第２中継部材１１４−２がｙ方向に動くと、第２ギア１１３−２が回転する。第２ギア１１３−２が回転すると、第２中継部材１１４−２がｙ方向に動く。
【００４２】
すなわち、操作部材１１０のｘ方向の直線運動と、第１駆動軸１１２−１の回転運動とが相互に変換される。操作部材１１０のｙ方向の直線運動と、第２駆動軸１１２−２の回転運動とが相互に変換される。直線運動と回転運動の変換は、本実施形態で例示した構成に限定されない。
【００４３】
（駆動装置）
図２は、図１に示す駆動装置１１１の概略構成図である。３つの駆動装置１１１は、同じ構成をもつ。駆動装置１１１は、回転検出部１２１とトルクセンサ１２２と力付与部１２３とを含む。回転検出部１２１は、例えば、ロータリーエンコーダーであり駆動軸１１２の回転量を検出する。トルクセンサ１２２は、例えば、磁歪式であり、駆動軸１１２に加わるトルクを検出する。力付与部１２３は、回転力付与部１２４と抵抗力付与部１２５とを含み、駆動軸１１２に様々な力を印加する。
【００４４】
回転力付与部１２４は、電動モーターである。一例において、回転力付与部１２４は、外部からの指令に従って、コイルに流れる電流を変化させることにより、永久磁石を搭載した駆動軸１１２を回転させる。
【００４５】
抵抗力付与部１２５は、伝達部材１３１とコイルケース１３２と磁界印加部１３３と磁気粘性流体１３４とを含む。伝達部材１３１は、駆動軸１１２の周りで、駆動軸１１２から遠ざかる方向に広がる円盤状部材である。伝達部材１３１は、駆動軸１１２に固定され、操作部材１１０の移動に応じて動く。すなわち、伝達部材１３１の動きが、操作部材１１０（図１）に伝達され、操作部材１１０（図１）の動きが伝達部材１３１に伝達される。
【００４６】
コイルケース１３２は、駆動軸１１２を囲むように、駆動軸１１２から離れて配置される。磁界印加部１３３は、コイルケース１３２内で、駆動軸１１２をドーナツ状に囲むように位置するコイルである。磁気粘性流体１３４が、コイルケース１３２と伝達部材１３１との間の隙間に位置し、コイルケース１３２と伝達部材１３１との両方に接触する。
【００４７】
外部から磁界印加部１３３に供給される電流の変化に応じて、磁気粘性流体１３４に印加される磁界が変化する。駆動軸１１２の延びる方向における磁気粘性流体１３４を貫く磁界の大きさが変化するのに応じて、磁気粘性流体１３４内の粒子の結合力が変化する。結合力の変化に応じて、伝達部材１３１とコイルケース１３２との間の相対的な動きに対する抵抗力（摩擦力とも呼ばれる）が変化する。
【００４８】
操作者は、抵抗力付与部１２５において生じる摩擦力を、回転に抗する抵抗力として感じる。すなわち、抵抗力付与部１２５は、磁気粘性流体１３４と伝達部材１３１との間の抵抗力を変化させることにより、操作部材１１０（図１）に付与される抵抗力を変化させる。
【００４９】
（制御装置）
図３は、図１に示す３つの駆動装置１１１と制御装置１１５との構成を示すブロック図である。第１駆動装置１１１−１〜第３駆動装置１１１−３の構成要素は、それぞれ、頭に「第１」、「第２」および「第３」を付し、末尾に「−１」、「−２」および「−３」を付して区別する。制御装置１１５は、記憶装置１５０と演算処理装置１６０と表示部１７０とを含む。
【００５０】
（記憶装置）
記憶装置１５０は、制御プログラム１５１と接続関係１５２とノード情報１５３とを記憶する。制御プログラム１５１は、演算処理装置１６０によって読み出されて、演算処理装置１６０に制御方法の一部を行うための機能、及び他の機能を実装させる。演算処理装置１６０が種々の機能を実行するとき、記憶装置１５０は、演算処理装置１６０に制御されて、適宜必要な情報を記憶する。記憶装置１５０は、非一時的な有形の記憶媒体である。記憶装置１５０は、ＲＯＭ（Ｒｅａｄ  ｏｎｌｙ  ｍｅｍｏｒｙ）及びＲＡＭ（Ｒａｎｄｏｍ  ａｃｃｅｓｓ  ｍｅｍｏｒｙ）を含む。記憶装置１５０は、揮発性または不揮発性の記憶媒体である。記憶装置１５０は、取り外し可能であってもよく、取り外し不能であってもよい。
【００５１】
図４は、記憶装置１５０に記憶された第１ノード１８０−１〜第１８ノード１８０−１８（以下、区別せずにノード１８０と呼ぶ場合がある）の例示的な接続関係１５２を示す図である。接続関係１５２に含まれる複数のノード１８０は、１８個に限るわけではない。複数のノード１８０の相互関係は、図４に示すものに限られない。接続の表現は、図４に示すものに限られない。
【００５２】
複数のノード１８０が、上位のノード１８０に接続された１つ以上のノード１８０と、下位の１つ以上のノード１８０に接続された１つ以上のノード１８０と、下位のノード１８０のいずれにも接続されない１つ以上のノード１８０とを含む。
【００５３】
具体的には、最上位の第１ノード１８０−１の下位に、第２ノード１８０−２〜第６ノード１８０−６が接続される。第３ノード１８０−３の下位に、第７ノード１８０−７〜第９ノード１８０−９が接続される。第４ノード１８０−４の下位に、第１０ノード１８０−１０〜第１２ノード１８０−１２が接続される。第８ノード１８０−８の下位に、第１３ノード１８０−１３〜第１５ノード１８０−１５が接続される。第９ノード１８０−９の下位に、第１６ノード１８０−１６〜第１８ノード１８０−１８が接続される。
【００５４】
図３に示すノード情報１５３は、図４に示す複数のノード１８０に対応付けられた情報を示す。例えば、図４に示す第３ノード１８０−３の情報は、「オーディオの起動」である。第８ノード１８０−８の情報は、「テレビの起動」である。第９ノード１８０−９の情報は、「ラジオの起動」である。第１０ノード１８０−１０の情報は、「ラジオの起動」である。第１７ノード１８０−１７の情報は、「ラジオの周波数の切り替え」である。
【００５５】
図４において、第３ノード１８０−３が、選択ノード１８１として例示される。選択ノード１８１は、複数のノード１８０から選択され、後述のように操作部材１１０（図１）の位置に応じて切り替わる。
【００５６】
（演算処理装置）
図３に示す演算処理装置１６０は、記憶装置１５０に記憶された制御プログラム１５１を読み出して実行することにより、力制御部１６１と区域検出部１６２とノード選択部１６３と表示制御部１６４と決定動作検出部１６５と実行部１６６と、として機能する。本実施形態の演算処理装置１６０は、汎用コンピュータであるが、特定用途向け集積回路（ＡＳＩＣ：Ａｐｐｌｉｃａｔｉｏｎ  ｓｐｅｃｉｆｉｃ  ｉｎｔｅｇｒａｔｅｄ  ｃｉｒｃｕｉｔｓ）であってもよく、本実施形態で説明される各機能を実装可能な他の回路であってもよい。
【００５７】
表示部１７０は、例えば、液晶ディスプレイであり、演算処理装置１６０からの指示に従って種々の画像を表示する。
【００５８】
（区域）
図５は、一例における複数の区域１９０を模式的に表す図である。図５に示すように、各区域１９０は、ｘ方向に沿った２辺とｙ方向に沿った２辺とにより囲まれた略正方形の領域として設定される。すべての区域１９０が同じ形状をもつ。他の例において、区域１９０の形状は、他の形状でもよい。ｘ方向に直線的に並んだ７つの区域１９０が１つの行を形成し、ｙ方向に５つの行が並ぶ。見方を変えると、ｙ方向に直線的に並んだ５つの区域１９０が１つの列を形成し、ｘ方向に５つの列が並ぶ。合計で３５個の区域１９０が存在する。
【００５９】
区域１９０の位置は、０〜６のｘ座標と０〜４のｙ座標とを用いて（ｘ、ｙ）と表記する。図５において、ある時点での例示的な操作部材１１０の位置を、模式的に区域１９０より小さな点で表す。実際の操作部材１１０の大きさは、区域１９０より大きくてもよい。ｙ座標の同じ区域１９０は、同じ層に属する。ｙ座標の小さい区域１９０は、ｙ座標の大きい区域１９０より上層にあると表現する。ｙ座標の大きい区域１９０は、ｙ座標の小さい区域１９０より下層にあると表現する。
【００６０】
操作部材１１０は、ｙ１方向（第１順方向とも呼ばれる）と、ｙ２方向（第１逆方向とも呼ばれる）と、ｘ１方向（第２順方向とも呼ばれる）と、ｘ２方向（第２逆方向とも呼ばれる）とに移動可能に支持される。互いに逆を向く第１順方向と第１逆方向とは、単に方向を識別するための名称である。互いに逆を向く第２順方向と第２逆方向とは、単に方向を識別するための名称である。第１順方向と第１逆方向との各々が、第２順方向と第２逆方向との両方に交差する。
【００６１】
図５において斜線でハッチングした制限区域１９１は、複数の区域１９０のうち操作部材１１０が移動できない範囲を表す。図５では、代表して１つの制限区域１９１のみに符号を付しているが、ハッチングしたすべての区域１９０を制限区域１９１と呼ぶ。斜線でハッチングされていない許可区域１９２は、複数の区域１９０のうち操作部材１１０が移動できる範囲を表す。図５では、代表して１つの許可区域１９２のみに符号を付しているが、ハッチングされていないすべての区域１９０を許可区域１９２と呼ぶ。操作部材１１０の位置に応じて制限区域１９１と許可区域１９２とが設定される。例えば、図５において、座標（３、１）にある操作部材１１０は、ｘ１方向とｘ２方向とｙ１方向とにおいて区域１９０間の移動が可能であるが、ｙ２方向において区域１９０間の移動はできない。  
【００６２】
決定対象区域１９３は、許可区域１９２のうち後述の決定動作が検出される区域１９０として割り当てられる。決定対象区域１９３は、図４において下位のノード１８０をもたない第２ノード１８０−２と、第５ノード１８０−５〜第７ノード１８０−７と、第１０ノード１８０−１０〜第１８ノード１８０−１８とに対応して割り当てられる。
【００６３】
（力制御部）
図３に示す力制御部１６１は、３つの回転検出部１２１と３つのトルクセンサ１２２との出力に基づいて、３つの力付与部１２３により各駆動軸１１２（図２）に印加する力を制御する。操作者の操作により駆動軸１１２（図２）が１つの回転方向に回転するときに、回転力付与部１２４が駆動軸１１２（図２）に回転方向の力を印加することにより、操作者は、加速する力を感じる。回転力付与部１２４が駆動軸１１２（図２）に回転方向とは逆方向の力を印加することにより、操作者は、抵抗力を感じる。
【００６４】
力制御部１６１は、また、抵抗力付与部１２５により駆動軸１１２（図２）に加わる抵抗力の大小を変える。電動モーターである回転力付与部１２４よりも、磁気粘性流体１３４を用いた抵抗力付与部１２５の方が、より明確な抵抗力を駆動軸１１２（図２）に与えることができる。力制御部１６１は、回転力付与部１２４と抵抗力付与部１２５とを組み合わせて、駆動軸１１２（図２）に力を付与する。
【００６５】
力制御部１６１は、各区域１９０（図５）内で、各区域１９０（図５）の中心に引き込むように操作部材１１０（図１）に力を付与する。すなわち、力制御部１６１は、力付与部１２３により、操作部材１１０（図１）の移動方向が区域１９０（図５）から出る方向であるときに、操作部材１１０（図１）に対して移動方向とは逆方向の抵抗力を付与する。区域１９０（図５）の中心から区域１９０（図５）間の境界に近づくほど抵抗力が大きくなる。２つの区域１９０（図５）間で操作部材１１０（図１）を移動させるのに必要な力は、人の手の力で乗り越えられる程度の大きさである。
【００６６】
操作部材１１０（図１）のｘｙ平面内における移動に応じて変化する第１回転検出部１２１−１と第２回転検出部１２１−２と第１トルクセンサ１２２−１と第２トルクセンサ１２２−２との出力は、主として、第１駆動軸１１２−１（図１）と第２駆動軸１１２−２（図１）とに印加する力を制御するために使用される。操作部材１１０（図１）のｚ軸周りの回転に応じて変化する第３回転検出部１２１−３と第３トルクセンサ１２２−３との出力は、主として、第３駆動軸１１２−３（図１）に印加する力を制御するために使用される。例えば、操作者が操作部材１１０（図１）を回転させると、ダイヤルのメモリ幅に合わせた所定角度で段階的に抵抗力が付与される。
【００６７】
（区域検出部）
図３に示す区域検出部１６２は、第１回転検出部１２１−１と第１トルクセンサ１２２−１と第２回転検出部１２１−２と第２トルクセンサ１２２−２との出力に基づいて、操作部材１１０の位置する区域１９０（図５）を検出する。
【００６８】
（ノード選択部）
図３に示すノード選択部１６３は、検出された操作部材１１０の位置する区域１９０（図５）に応じて、図４に示すように、ノード１８０の１つを選択ノード１８１として選択する。
【００６９】
図４を参照して説明すると、ノード選択部１６３（図３）は、操作部材１１０（図５）のｙ１方向への移動に応じて、移動前の選択ノード１８１の下位に接続された１つのノード１８０を選択ノード１８１として選択する。例えば、移動前に第３ノード１８０−３が選択ノード１８１である場合、操作部材１１０（図５）のｙ１方向への移動に応じて、第８ノード１８０−８が選択ノード１８１として選択される。
【００７０】
ノード選択部１６３（図３）は、操作部材１１０（図５）のｙ２方向への移動に応じて、移動前の選択ノード１８１の上位に接続された１つのノード１８０を選択ノード１８１として選択する。例えば、移動前に第９ノード１８０−９が選択ノード１８１である場合、操作部材１１０（図５）のｙ２方向への移動に応じて、第３ノード１８０−３が選択ノード１８１として選択される。
【００７１】
ノード選択部１６３（図３）は、操作部材１１０（図５）のｘ１方向とｘ２方向とのいずれか一方への移動に応じて、上位の同じノード１８０に接続された１つ以上のノード１８０間で選択ノード１８１を切り替える。例えば、移動前に第３ノード１８０−３が選択ノード１８１である場合、操作部材１１０のｘ１方向またはｘ２方向への移動に応じて、指定された順序に従って、第２ノード１８０−２〜第６ノード１８０−６の間で選択ノード１８１が切り替わる。
【００７２】
１つのノード１８０の下位に複数のノード１８０が接続されている場合、上位のノード１８０から下位のノード１８０のうち予め定められた１つのノード１８０のみに移動が可能であり、予め定められた同じノード１８０からのみ上位のノード１８０に移動可能である。例えば、図４の第４ノード１８０−４から第１１ノード１８０−１１に移動できるが、第４ノード１８０−４から第１０ノード１８０−１０と第１２ノード１８０−１２とには直接移動できない。すなわち、ノード１８０間の接続は概念的な接続であり、移動の可能性を直接表すとは限らない。
【００７３】
（表示制御部）
図３に示す表示制御部１６４は、表示部１７０に表示される画像を生成することにより、視認可能な表示を制御する。図６は、図５に示す位置に操作部材１１０があるときに、表示部１７０に表示される画像の一例である。
【００７４】
図６に示すように、第２ノード１８０−２〜第５ノード１８０−５は、常に表示される。選択ノード１８１の上位に接続されたノード１８０の下位に接続されたすべてのノード１８０（図６の例では、第２ノード１８０−２〜第６ノード１８０−６）と、選択ノード１８１の下位に接続されたノード１８０（図６の例では、第１０ノード１８０−１０〜第１２ノード１８０−１２）とを示す画像が生成される。
【００７５】
図４に示す接続関係１５２において、上位の１つのノード１８０に下位の複数のノード１８０が接続される場合、図６に示す画像において、上位のノード１８０は、何れか１つの下位のノード１８０に接続されるように表示される。下位のノード１８０は、横方向に一列に並べて表示され、隣接する下位のノード１８０は線で結ばれる。画像において、選択ノード１８１は、他のノード１８０から識別可能に表現される。例えば、選択ノード１８１は、二重丸で表現される。他の例において、選択ノード１８１は、色を変えて強調表示される。
【００７６】
図６に示す画像に表示される各ノード１８０に対応して、図５に示す１つの区域１９０が割り当てられる。操作部材１１０の移動に伴って割り当ては変化する。
【００７７】
（決定動作検出部）
図３に示す決定動作検出部１６５は、操作部材１１０（図１）の決定動作を検出する。図５を参照して説明すると、決定動作は、区域１９０が並ぶ２次元面に平行な方向である決定方向に向かう操作部材１１０の動きである。本実施形態における決定方向は、ｙ１方向である。すべての決定対象区域１９３における決定方向は、同じ方向、すなわちｙ１方向である。
【００７８】
決定動作検出部１６５は、複数の区域１９０のうち決定対象区域１９３に位置する操作部材１１０の、決定方向（ｙ１方向）に向かう動きを決定動作として検出する。例えば、座標（４、１）におけるｙ１方向への操作部材１１０の押圧による動きが、決定動作として検出される。すべての区域１９０において、決定方向が同じである。押圧の程度は予め設定され、区域１９０から出ない程度であってもよく、区域１９０を移動する程度であってもよい。
【００７９】
決定対象区域１９３から決定方向に動くときに操作部材１１０に印加される抵抗力は、決定動作を伴わずに区域１９０間を移動するときに操作部材１１０に印加される抵抗力と異なる。決定動作を伴わない動きは、決定対象区域１９３以外の区域１９０から他の区域１９０へ向けた動きと、決定対象区域１９３から決定方向以外の方向の動きとを含む。決定対象区域１９３から決定方向に動くときに操作部材１１０に印加される抵抗力は、決定動作を伴わずに区域１９０間を移動するときに操作部材１１０に印加される抵抗力より大きい。
【００８０】
力制御部１６１（図３）は、力付与部１２３（図３）により、制限区域１９１に隣接した区域１９０から制限区域１９１に向けて操作部材１１０が移動するときに、制限区域１９１に隣接した区域１９０から操作部材１１０が出るのを阻止する抵抗力を操作部材１１０に印加する。すなわち、ハッチングされていない許可区域１９２からハッチングされた制限区域１９１に向けて操作部材１１０が押圧されるとき、人の手の力では乗り越えられない程度の抵抗力が操作部材１１０に加わる。制限区域１９１に向けて操作部材１１０が押圧されるとき、磁気粘性流体１３４（図２）を用いた抵抗力付与部１２５（図２）を使用して抵抗力を発生させることにより、区域１９０の境界を意識できるような明確な抵抗力を操作部材１１０に与えることができる。
【００８１】
（実行部）
図３に示す実行部１６６は、区域検出部１６２により検出された区域１９０と決定動作検出部１６５により検出された決定動作とに基づいて、操作部材１１０の位置する区域１９０に対応した処理を実行する。実行部１６６は、ノード情報１５３に記憶された、選択ノード１８１に対応付けられた情報に基づいて処理を実行する。例えば、図５に示す座標（５、１）において決定動作が行われると、座標（５、１）に対応した図６に示す第６ノード１８０−６の情報に基づいて処理が実行される。第６ノード１８０−６に対応付けられた情報は、例えば、「空調の起動」である。
【００８２】
図３に示す実行部１６６は、第３回転検出部１２１−３と第３トルクセンサ１２２−３との出力に基づいて、操作部材１１０（図１）の回転を検出し、例えば、回転量に応じて空調の温度を変化させる。誤操作を防ぐため、操作部材１１０（図１）がｘｙ平面に沿って移動している間、操作部材１１０（図１）が回転しないように固く固定されてもよい。
【００８３】
（動作例）
図５は、操作部材１１０が座標（３、１）に位置するときの、制限区域１９１（ハッチング有り）と許可区域１９２（ハッチングなし）とを示す図である。座標（４、１）は、決定対象区域１９３である。図６は、選択ノード１８１が第４ノード１８０−４であるときに、表示部１７０に表示される画像である。選択ノード１８１である第４ノード１８０−４の下位に接続されたノード１８０が表示される。
【００８４】
図５に示すようにｘ方向に並んだ座標（１、１）から座標（５、１）までの５つの区域１９０が、順に、図６に示す第２ノード１８０−２〜第６ノード１８０−６に対応する。図５に示すようにｘ方向に並んだ座標（２、２）から座標（４、２）までの３つの区域１９０が、順に、図６に示す第１０ノード１８０−１０〜第１２ノード１８０−１２に対応する。
【００８５】
図７は、図５に示す操作部材１１０が座標（２、１）に移動した後の、制限区域１９１（ハッチング有り）と許可区域１９２（ハッチングなし）とを示す図である。座標（１、１）は、決定対象区域１９３である。図８は、選択ノード１８１が第３ノード１８０−３であるときに、表示部１７０に表示される画像である。図８に示す画像では、図６に示すような第４ノード１８０−４の下位に接続されたノード１８０は消え、第３ノード１８０−３の下位に接続されたノード１８０が表示される。
【００８６】
第３ノード１８０−３が属する層（図７におけるｙ１の層）における区域１９０（図７）と、ノード１８０（図８）との対応関係は、図５と図６とにおける対応関係と同じである。座標（２、１）の１つ下層の対応関係は変更される。図７に示すようにｘ方向に並んだ座標（１、２）から座標（３、２）までの３つの区域１９０が、順に、図８に示す第７ノード１８０−７〜第９ノード１８０−９に対応する。
【００８７】
図９は、図７に示す操作部材１１０が座標（２、２）に移動した後の、制限区域１９１（ハッチング有り）と許可区域１９２（ハッチングなし）とを示す図である。座標（１、２）は、決定対象区域１９３である。図１０は、選択ノード１８１が第８ノード１８０−８であるときに、表示部１７０に表示される画像である。図１０に示す画像では、図８に示すノード１８０に加えて、第８ノード１８０−８の下位に接続されたノード１８０が表示される。
【００８８】
第３ノード１８０−３が属する層（図９におけるｙ１の層）と第８ノード１８０−８が属する層（図９におけるｙ２の層）とにおける区域１９０（図９）と、ノード１８０（図１０）との対応関係は、図７と図８とにおける対応関係と同じである。座標（２、２）の１つ下層の対応関係は変更される。図９に示すようにｘ方向に並んだ座標（１、３）から座標（３、３）までの３つの区域１９０が、順に、図１０に示す第１３ノード１８０−１３〜第１５ノード１８０−１５に対応する。
【００８９】
図１１は、図９に示す操作部材１１０が座標（３、２）に移動した後の、制限区域１９１（ハッチング有り）と許可区域１９２（ハッチングなし）とを示す図である。座標（３、３）は、決定対象区域１９３である。図１２は、選択ノード１８１が第９ノード１８０−９であるときに、表示部１７０に表示される画像である。図１２に示す画像では、図１０に示すような第８ノード１８０−８の下位に接続されたノード１８０は消え、第９ノード１８０−９の下位に接続されたノード１８０が表示される。
【００９０】
第３ノード１８０−３が属する層（図１１におけるｙ１の層）と第９ノード１８０−９が属する層（図１１におけるｙ２の層）とにおける区域１９０（図１１）と、ノード１８０（図１２）との対応関係は、図９と図１０とにおける対応関係と同じである。座標（３、２）の１つ下層の対応関係は変更される。図１１に示すようにｘ方向に並んだ座標（２、３）から座標（４、３）までの３つの区域１９０が、順に、図１２に示す第１６ノード１８０−１６〜第１８ノード１８０−１８に対応する。
【００９１】
図１３は、図１１に示す操作部材１１０が座標（３、３）に移動した後の、制限区域１９１（ハッチング有り）と許可区域１９２（ハッチングなし）とを示す図である。座標（２、３）と座標（３、３）と座標（４、３）とは、決定対象区域１９３である。図１４は、選択ノード１８１が第１７ノード１８０−１７であるときの、表示部１７０に表示される画像である。第１７ノード１８０−１７の下位には他のノード１８０が接続されないので、図１４に示すノード１８０は、図１２に示すノード１８０と同じである。すべての層において区域１９０（図１３）と、ノード１８０（図１４）との対応関係は、図１１と図１２とにおける対応関係と同じである。
【００９２】
図１３に示すように操作部材１１０が座標（３、３）に存在する場合に、さらに、決定動作、すなわち、ｙ１方向に向けた操作部材１１０の押圧（例えば、区域１９０を出ない程度のわずかな動き、区域１９０を移動する動きなど予め規定された動き）が実行されると、図１４に示す第１７ノード１８０−１７に対応した情報に基づいて処理が実行される。なお、座標（３、３）の区域１９０に対して決定方向に隣接した座標（３、４）の区域１９０は、制限区域１９１とされてもよい。
【００９３】
（入力装置制御方法）
図１５は、図１に示す入力装置１００（図１）が実行する入力装置制御方法を説明するためのフロー図である。図１５の説明において、例示として図１３を参照するが、操作部１１０の位置は他の位置でもよい。まず、図１５に示すステップ２０１において、区域検出部１６２（図３）は、操作部材１１０（図１３）の位置する区域１９０（図１３）を検出する。図１３の例では、座標（３、３）の区域１９０である。
【００９４】
次に、図１５に示すステップ２０２において、決定動作検出部１６５（図３）は、操作部材１１０（図１３）が決定対象区域１９３（図１３）に位置するか否かを判定する。図１３の例では、操作部材１１０が決定対象区域１９３に位置する。図１５に示すステップ２０２において、決定対象区域１９３（図１３）に位置すると判定された場合、ステップ２０３において、決定動作検出部１６５（図３）は、操作部材１１０（図１３）が決定対象区域１９３（図１３）から決定方向（すなわち、ｙ１方向）に向けて動いたか判定する。
【００９５】
ステップ２０２において、操作部材１１０（図１３）が決定対象区域１９３（図１３）に位置しないと判定された場合、または、ステップ２０３において、操作部材１１０（図１３）が決定対象区域１９３（図１３）から決定方向に向けて動いたのではないと判定された場合、ステップ２０４において、ノード選択部１６３（図３）は、区域１９０（図１３）間の移動に応じて、選択ノード１８１（図１３）を変更する。変更方法は、図５〜図１４を参照して説明されるとおりである。ステップ２０４の後、本方法が終了する。
【００９６】
ステップ２０３において、操作部材１１０（図１３）が決定対象区域１９３（図１３）から決定方向に向けて動いたと判定された場合、ステップ２０５において、決定動作検出部１６５（図３）は、決定動作が行われたと判定する。ステップ２０５の後、ステップ２０６において、実行部１６６（図３）は、ノード情報１５３（図３）に記憶された選択ノード１８１（図１４）に対応付けられた情報に基づいて各種の処理を実行する。
【００９７】
例えば、図１３に示す座標（３、３）において決定動作が実行されると、図１４に示す第１７ノード１８０−１７に対応付けられた情報に基づいて、処理が実行される。例えば、第１７ノード１８０−１７に対応付けられた「ラジオの周波数の切り替え」が実行される。ステップ２０６の後、本方法が終了する。入力装置制御方法は、繰り返し実行される。
【００９８】
（まとめ）
本実施形態は、２次元面内に設定される複数の区域１９０に対応して移動可能に支持された操作部材１１０と、操作部材１１０の位置する区域１９０を検出する区域検出部１６２と、操作部材１１０の決定動作を検出する決定動作検出部１６５と、区域検出部１６２により検出された区域１９０と決定動作検出部１６５により検出された決定動作とに基づいて、操作部材１１０の位置する区域１９０に対応した処理を実行する実行部１６６とを備え、決定動作が、２次元面に平行な方向である決定方向（ｙ１方向）に向かう操作部材１１０の動きである、入力装置１００である。
【００９９】
この構成によれば、区域１９０への操作部材１１０の移動とは別に決定動作が行われたときに、操作部材１１０の位置する区域１９０に対応した処理が実行されるので、決定動作を必要としない場合に比べると、意図せず処理が実行されることを防ぎやすい。２次元面内における操作により決定動作が行われるので、決定動作のために別のスイッチを用意する場合に比べて、構造および操作が簡単である。また、２次元面内に沿った移動以外の操作を必要とする場合に比べて構造および操作が簡単である。
【０１００】
好適には本実施形態の入力装置１００において、複数の区域１９０が、決定動作の区域１９０として割り当てられた複数の決定対象区域１９３を含み、すべての決定対象区域１９３における決定方向が同じである。
【０１０１】
この構成によれば、すべての決定対象区域１９３において決定方向が同じなので、決定方向が決定対象区域１９３ごとに異なる場合に比べて、操作が単純であり、意図しない操作を簡単に防ぐことができる。
【０１０２】
好適には本実施形態の入力装置１００は、操作部材１１０に力を付与する力付与部１２３をさらに備え、力付与部１２３は、操作部材１１０の移動方向が区域１９０から出る方向であるときに、操作部材１１０に対して移動方向とは逆方向の抵抗力を付与する。
【０１０３】
この構成によれば、抵抗力が付与されない場合に比べて、操作部材１１０を区域１９０単位で明確に移動させることができ、意図しない操作を簡単に防ぐことができる。
【０１０４】
好適には本実施形態の入力装置１００において、決定方向に動くときに操作部材１１０に印加される抵抗力は、区域１９０間を移動するときに操作部材１１０に印加される抵抗力と異なる。
【０１０５】
この構成によれば、決定動作と区域１９０間の移動とで操作者が感じる抵抗力の大きさが異なるので、意図しない操作を防ぎやすい。
【０１０６】
好適には本実施形態の入力装置１００において、決定対象区域１９３から決定方向に動くときに操作部材１１０に印加される抵抗力は、区域１９０間を移動するときに操作部材１１０に印加される抵抗力より大きい。
【０１０７】
この構成によれば、区域１９０間の移動時に操作者が感じる力よりも、決定動作時に操作者が感じる力の方が大きいので、区域１９０間の移動と間違えて決定動作が行われることを防ぐことができる。
【０１０８】
好適には本実施形態の入力装置１００において、複数の区域１９０が、制限区域１９１を含み、力付与部１２３は、制限区域１９１に隣接した区域１９０から制限区域１９１に向けて操作部材１１０が移動するときに、制限区域１９１に隣接した区域１９０から操作部材１１０が出るのを阻止する抵抗力を操作部材１１０に印加する。
【０１０９】
この構成によれば、規制方向に向けて操作部材１１０が区域１９０から出ることを抵抗力により阻止するので、操作者が操作部材１１０を区域１９０に沿って正確に移動させることができる。
【０１１０】
好適には本実施形態の入力装置１００は、操作部材１１０の移動に応じて動く伝達部材１３１をさらに備え、力付与部１２３が、抵抗力付与部１２５を含み、抵抗力付与部１２５が、伝達部材１３１に接触した磁気粘性流体１３４と、磁気粘性流体１３４に磁界を印加する磁界印加部１３３と、を含み、抵抗力付与部１２５が、磁気粘性流体１３４と伝達部材１３１との間の抵抗力を変化させることにより、操作部材１１０に付与する抵抗力を変化させる。
【０１１１】
この構成によれば、電気的に抵抗力を精密に変化させることができるので、意図しない操作を防ぐための抵抗力をより正確に付与することができる。特に、電動モーターの回転だけで抵抗力を付与する場合に比べて、明確な抵抗力を付与することができる。そのため、操作者に区域１９０の区切りを明確に感じさせることができる。
【０１１２】
好適には本実施形態の入力装置１００は、複数のノード１８０間の接続関係１５２と複数のノード１８０の各々に対応付けられた情報とを記憶した記憶装置１５０と、検出された操作部材１１０の位置に応じて複数のノード１８０の１つを選択ノード１８１として選択するノード選択部１６３とを備え、操作部材１１０が、第１順方向（ｙ１方向）と第１逆方向（ｙ２方向）と第２順方向（ｘ１方向）と第２逆方向（ｘ２方向）とに移動可能に支持され、第１順方向と第１逆方向とが、互いに逆を向き、第２順方向と第２逆方向とが、互いに逆を向き、第１順方向と第１逆方向との各々が、第２順方向と第２逆方向との両方に交差し、複数のノード１８０が、上位のノード１８０に接続された１つ以上のノード１８０を含み、複数のノード１８０が、下位のノード１８０に接続された１つ以上のノード１８０と、下位のノード１８０のいずれにも接続されない１つ以上のノード１８０と、を含み、ノード選択部１６３は、操作部材１１０の第１順方向への移動に応じて、移動前の選択ノード１８１の下位に接続された１つのノード１８０を選択ノード１８１として選択し、ノード選択部１６３は、操作部材１１０の第１逆方向への移動に応じて、移動前の選択ノード１８１の上位に接続された１つのノード１８０を選択ノード１８１として選択し、ノード選択部１６３は、操作部材１１０の第２順方向と第２逆方向とのいずれか一方への移動に応じて、上位の同じノード１８０に接続された１つ以上のノード１８０間で選択ノード１８１を切り替え、第１順方向が、決定方向であり、実行部１６６が、選択ノード１８１に対応付けられた情報に基づいて処理を実行する。
【０１１３】
この構成によれば、上位から下位へのノード１８０の移動方向が決定方向と同じであるので、操作者が直感的に操作することができる。そのため、意図しない操作を簡単に防ぐことができる。
【０１１４】
好適には本実施形態の入力装置１００は、視認可能な表示を制御する表示制御部１６４をさらに備え、表示制御部１６４が、選択ノード１８１の上位に接続されたノード１８０の下位に接続されたすべてのノード１８０と、選択ノード１８１の下位に接続されたノード１８０とを示す画像を生成し、表示制御部１６４が、画像において選択ノード１８１を他のノード１８０から識別可能に表現する。
【０１１５】
この構成によれば、操作者が、選択ノード１８１に近接したノード１８０を示した画像を確認しながら選択ノード１８１を選択できるので、操作者の意図しない操作を簡単に防ぐことができる。
【０１１６】
好適には本実施形態の入力装置１００は、操作部材１１０を回転可能に支持する駆動軸１１２と、駆動軸１１２の回転状態を検出する回転検出部１２１と、をさらに備える。
【０１１７】
この構成によれば、２次元面内における操作部材１１０の移動に加えて、操作部材１１０の回転によっても入力が可能であるので、素早く多様な入力が可能である。
【０１１８】
本発明は上述した実施形態には限定されない。すなわち、当業者は、本発明の技術的範囲またはその均等の範囲内において、上述した実施形態の構成要素に関し、様々な変更、コンビネーション、サブコンビネーション、並びに代替を行ってもよい。
【産業上の利用可能性】
【０１１９】
本発明は、操作部材の移動と決定動作とを伴う入力装置に適用可能である。
【符号の説明】
【０１２０】
１００…入力装置、１１０…操作部材、１１１…駆動装置、１１２…駆動軸、
１１５…制御装置、１２１…回転検出部、１２２…トルクセンサ、１２３…力付与部、
１２４…回転力付与部、１２５…抵抗力付与部、１３１…伝達部材、
１３３…磁界印加部、１３４…磁気粘性流体、１５０…記憶装置、
１５１…制御プログラム、１５２…接続関係、１５３…ノード情報、
１６０…演算処理装置、１６１…力制御部、１６２…区域検出部、
１６３…ノード選択部、１６４…表示制御部、１６５…決定動作検出部、
１６６…実行部、１８０…ノード、１８１…選択ノード、１９０…区域、
１９１…制限区域、１９２…許可区域、１９３…決定対象区域
【図１】
2019017306.tif 000003
【図２】
2019017306.tif 000004
【図３】
2019017306.tif 000005
【図４】
2019017306.tif 000006
【図５】
2019017306.tif 000007
【図６】
2019017306.tif 000008
【図７】
2019017306.tif 000009
【図８】
2019017306.tif 000010
【図９】
2019017306.tif 000011
【図１０】
2019017306.tif 000012
【図１１】
2019017306.tif 000013
【図１２】
2019017306.tif 000014
【図１３】
2019017306.tif 000015
【図１４】
2019017306.tif 000016
【図１５】
2019017306.tif 000017
【国際調査報告】
2019017306.tif 000018
2019017306.tif 000019